(57)【特許請求の範囲】
【請求項１】
開閉自在な硬質の上ケースと下ケースからなり、内部に物品を収納する物品収納空間を構成した物品収納ケースであって、前記上ケースと下ケースの少なくとも対向する２面のそれぞれに、弾性シート取り付け棒を前記面の４辺に沿って配設すると共に該弾性シート取り付け棒にその端部を取り付けることで弾性シートを前記上ケースと下ケースに張設し、前記各弾性シートの背後には空気の注入によって膨張する１乃至複数の空気袋を配設すると共に各空気袋を接続する空気配管を配設し、且つ前記空気配管を上下のケース間で連結する連絡配管を設け、上下のケースの何れか一方の外面にはその一部に形成した凹部に逆止弁と圧力調整弁を有する空気の給気口部と排気用押しボタンを備えた排気口部とを設け、前記一方のケース側に設けた給気口部から空気を注入することで、前記空気袋を膨張させて上下のケースの弾性シートを物品収納空間側へ膨出させ、これによって収納された物品を押圧して不動に保持することを特徴とする物品収納ケース。
【発明の詳細な説明】
【０００１】
【発明の属する技術分野】
本発明は物品の収納ケースに関する。
【０００２】
【従来の技術】
従来、例えばラップトップパソコン等、運搬を必要とする場合がある精密機械やその他の物品のために、それらの物品を収納して運搬するためのバッグ、カバン、その他の収納ケースが提供されている。これら従来の収納ケースは、物品の収納空間の周囲にクッション材を配したり、固定用の帯等を設けたりした構成としている。
【０００３】
【発明が解決しようとする課題】
しかしながら上記した従来の収納ケースの場合、被収納品である物品の形状や大きさも関係して、収納された物品を備え付けのクッション材で十分に固定するのが難しく、隙間等が生じやすいことから容易に動いたり、破損したりする問題があった。また固定用の帯等を用いる場合においても、物品の大きさや形状との関係で、物品がうまく帯に掛からない場合が生じる他、帯で締めても動くのを十分に防止することができず、破損したりする問題があった。勿論、クッション材と帯との両方を使用するようにした場合であっても、やはり同様の問題が生じる。
従って従来の物品収納ケースでは、運搬中に収納ケース内で物品が動いたことによって破損したり、傷がついたりする問題を十分に解消することができなかった。また収納した際に生じる隙間等を、別に用意した新聞紙やその他のクッション材で埋めるようにすれば物品をより安全に保護することが可能となるが、作業の手間や、使用する新聞紙やその他のクッション材の使用前、使用後の処置などが煩わしい問題があった。
【０００４】
そこで本発明は上記従来の欠点を解消し、邪魔なクッション材による詰め込み作業等をすることなく、物品の収納、固定作業が容易、確実に行え、また物品の取り出し作業も容易、迅速に行うことができ、勿論、運搬中の衝撃による破損等から十分に物品を守ることができる物品収納ケースの提供を課題とする。
【０００５】
【課題を解決するための手段】
上記課題を解決する本発明の物品収納ケースは、開閉自在な硬質の上ケースと下ケースからなり、内部に物品を収納する物品収納空間を構成した物品収納ケースであって、前記上ケースと下ケースの少なくとも対向する２面のそれぞれに、弾性シート取り付け棒を前記面の４辺に沿って配設すると共に該弾性シート取り付け棒にその端部を取り付けることで弾性シートを前記上ケースと下ケースに張設し、前記各弾性シートの背後には空気の注入によって膨張する１乃至複数の空気袋を配設すると共に各空気袋を接続する空気配管を配設し、且つ前記空気配管を上下のケース間で連結する連絡配管を設け、上下のケースの何れか一方の外面にはその一部に形成した凹部に逆止弁と圧力調整弁を有する空気の給気口部と排気用押しボタンを備えた排気口部とを設け、前記一方のケース側に設けた給気口部から空気を注入することで、前記空気袋を膨張させて上下のケースの弾性シートを物品収納空間側へ膨出させ、これによって収納された物品を押圧して不動に保持することを特徴としている。
【０００６】
【発明の実施の形態】
以下、本発明の実施形態を図面を参照しながら更に説明する。
図１は本発明の実施形態に係る物品収納ケースの閉じた状態を示す正面図、図２は同じく物品収納ケースの閉じた状態を示す平面図、図３は物品収納ケースの右側面図、図４は図２のＡ−Ａ断面図、図５は図２のＢ−Ｂ断面図（取っ手は省略）、図６は弾性シートと空気袋と空気配管との配置構造を示す図、図７は物品収納ケースの空気給排気口付近の断面図、図８はシングルの空気袋の平面図、図９はダブルの空気袋の平面図、図１０は圧縮空気の外部供給ユニットの系統図である。
【０００７】
先ず図１〜３を参照して、物品収納ケース１は硬質のケースとし、下ケース１０と上ケース２０とで構成されている。上ケース２０は下ケース１０に対して蝶番２で開閉され、留め金３を掛けることで閉止状態に保持される。また取っ手４を持って手で持ち運びできる。
前記取っ手のあるケース１外面の一部に凹部５が形成され、その凹部５に空気の給排気口である給気口部３１と排気口部３２が内部から突出して設けられている。給気口部３１から導入された空気は空気配管３３を通って、下ケース１０と上ケース２０とのそれぞれに設けられた空気袋４０に供給される。
【０００８】
図４、図５も参照して、下ケース１０と上ケース２０との間に物品Ｗの収納空間Ｓが構成される。該物品収納空間Ｓは、その上下の対向する２面に張設された弾性シート５０によって挟まれた状態に仕切られている。弾性シート５０はそれが物品収納空間Ｓ側に膨出することで、空間Ｓ内の物品Ｗに当接して押圧する。本実施形態では、弾性シート５０を下ケース１０側と上ケース２０側に対向して一対を配設し、物品収納空間Ｓを上下から挟むように設けている。
前記一対の弾性シート５０のうち下の弾性シート５０は、下ケース１０の隅部を構成する４辺のそれぞれの内側に沿って設けられたと弾性シート取り付け棒５１にその端部が取り付けられ、上の弾性シート５０は上ケース２０の隅部を構成する４辺の内側に沿って設けられた弾性シート取り付け棒５１に取り付けられている。
【０００９】
図６も参照して、前記上下一対の弾性シート５０の背後にそれぞれ複数の空気袋４０が配設されている。この空気袋４０は、内部に空気が入れられることで膨張し、これによって前記弾性シート５０を物品収納空間Ｓ側に膨出させて、物品Ｗに押し付ける役割をなす。
各空気袋４０は、ケース１の下ケース１０内及び上ケース２０内に巡らされた空気配管３３を通じて空気の供給を受ける。前記空気配管３３の一部は、下ケース１０側から上ケース２０側への連絡配管３３ａとなっている。
なお図６においては、弾性シート５０を取り付ける弾性シート取り付け棒５１を、図面上において左と右にある弾性シート取り付け棒５１だけを示し、図面上において前と後にあるべき弾性シート取り付け棒５１を省略している。
【００１０】
前記空気袋４０は、図８、図９に示すように、シングルの空気袋４０ａとダブルの空気袋４０ｂとがあり、ダブルの空気袋４０ｂはシングルのものに比べて幅が約２倍あり、図９に示すように、その中央部にも適当な長さの溶着部４１を形成することで、膨張した際に２つの山ができるようになされている。
各空気袋４０にはその一部に空気取り入れ口４２を設けており、この空気取り入れ口４２で前記空気配管３３と接続されている。
【００１１】
図７を参照して、前記空気配管３３は柔軟なチューブとして、前記給気口部３１と排気口部３２とに接続されている。給気口部３１と排気口部３２とは分岐して別々に設けられ、給気口部３１には逆止弁３１ａが設けられ、排気口部３２には排気用押しボタン３２ａが設けられている。この排気用押しボタン３２ａを押すことによって前記空気袋４０の空気を抜いて、その膨張を解くことができる。前記給気口部３１の逆止弁３１ａの下流に圧力調整弁を設けて、空気袋４０内の空気圧が一定圧以上に上昇しないようにすることができる。
【００１２】
今、物品収納ケース１を開き、収納されるべき物品Ｗを物品収納空間Ｓ内に配置し、配置が終了すると上ケース２０を下ケース１０に閉じて留め金３をする。そしてこの状態で、備え付け或いは携帯の圧縮空気源からの端末接続部を給気口部３１に当てがうと、圧縮空気が逆止弁３１ａを介して供給され、空気配管３３を通って、上下のケース１０、２０にそれぞれ設けられた各空気袋４０に空気が供給される。これによって空気袋４０は膨張し、弾性シート５０を物品収納空間Ｓ側へ膨出させる。物品収容空間Ｓに置かれた物品Ｗは、一対の弾性シート５０によって上下から挟まれるように押圧・当接され、且つ物品Ｗの周囲の空間には弾性シート５０が食い込むような状態に膨出する。これによって物品Ｗは周囲から十分に押し付けられ、不動状態となる。よってそのまま運搬に供される。
一方、前記運搬等が終了し、物品Ｗを取り出す場合には、物品収納ケース１の一部に設けた凹部５に配置された排気用押しボタン３２ａを押すと、空気袋４０内の空気が空気配管３３を通って、排気口部３２から外部に抜ける。よって留め金３を外し、ケース１を開けることで容易に物品Ｗを取り出すことができる。
【００１３】
図１０に圧縮空気の空気供給源として用いることができるユニット６０の例を示す。このユニット６０はコンパクトな空気給排気具として、個人用或いは工場等に配備しておくことができる。電池等の電源６１、電源スイッチ６２、スタートボタン６３、排気ボタン６４、空気ポンプ６５、圧力計６６、排気弁６７等がマイコン６８に接続され、またケース１側の給気口部３１との接続口部６９が設けられている。このユニット６０を用いる場合には、ケース１側に排気口部３２や排気用押しボタン３２ａは不要である。接続口部６９をケース１側の給気口部３１に差し込み、電源スイッチ６２をオンし、スタートボタン６３をオンすることで、空気ポンプ６５が駆動し、空気がケース１内の空気袋４０に供給される。圧力計６６が予め定められた一定の圧力を検出すると、空気ポンプ６５が停止し、空気供給が完了する。接続口部６９を抜くと給気口部３１の逆止弁３１ａが働く。一方、空気袋４０の空気を抜く場合には、接続口部６９を差し込むと、逆止弁３１ａの逆止機能が解除されるので、排気ボタン６４をオンすることで、排気弁６７が開き、空気が抜ける。
勿論、前記ユニット６０には、排気ボタン６４や排気弁６７を設けずに、給気だけの機能とすることができる。その場合には、ケース１側には排気口部３２や排気用押しボタン３２ａは省略することなく、設けておくことになる。
【００１４】
本発明の物品収納ケース１は、個人がラップトップパソコン等の精密機械やその他の物品を持ち運ぶのに使用するバッグとして、また工場等で出来上がった製品をケースに収めて搬送する場合のケースとして、好ましく用いることができる。
上記した実施形態において、空気袋４０は弾性シート５０と、硬質の上ケース２０との間、及び下ケース１０との間に配設される。勿論、下ケース１０や上ケース２０の内側で空気袋４０との間に硬質のシート等を別に配備するようにすれば、下ケース１０及び上ケース２０そのものは必ずしも硬質材で構成する必要はない。
また本実施例では、弾性シート５０を物品収納空間Ｓの外周面のうちの上下の位置だけに張設したが、物品収納空間Ｓの外周面の左右の位置や前後の位置にも弾性シート５０を張設して、空気袋４０による膨出効果をもたらすようにしてもよい。
【００１５】
前記弾性シート５０は、例えばゴムシートやプラスチックシート、その他の弾性を有する材料とし、空気袋４０の膨張によって少なくとも物品収納空間Ｓ側へ膨出し、空気袋４０内の空気の排気と共に元の非膨出状態に復元するようなものであればよい。
前記空気袋４０は、例えば塩ビ等のプラスチック材を適当に溶着して袋状にしたものを用いることができる。勿論、他の材料で構成されてもよく、内部に空気を注入することで膨らむものであればよい。空気を抜いた時に、前記弾性シート５０の復元力によって空気袋４０が逆に押されて元の平たい状態に復帰されるようにすることで、空気袋４０の材質そのものについては弾性体である必要はない。また空気袋４０の数は特に限定されないが、弾性シート５０の膨出が全体に渡って行われるようにする。
前記空気配管３３は、空気袋４０に対して空気を供給し易い場所に配設するが、それぞれ下ケース１０及び上ケース２０内の邪魔にならない隅部に配設されることで、特にその位置が限定されるものではない。
前記弾性シート取り付け棒５１は、弾性シート５０の端を取り付けるためのものであるので、その機能を発揮するものであれば、必ずしも棒状のものである必要はなく、また下ケース１０や上ケース２０の一部として構成することもできる。
【００１６】
【発明の効果】
本発明は以上の構成、作用よりなり、請求項１に記載の物品収納ケースによれば、開閉自在な硬質の上ケースと下ケースからなり、内部に物品を収納する物品収納空間を構成した物品収納ケースであって、前記上ケースと下ケースの少なくとも対向する２面のそれぞれに、弾性シート取り付け棒を前記面の４辺に沿って配設すると共に該弾性シート取り付け棒にその端部を取り付けることで弾性シートを前記上ケースと下ケースに張設し、前記各弾性シートの背後には空気の注入によって膨張する１乃至複数の空気袋を配設すると共に各空気袋を接続する空気配管を配設し、且つ前記空気配管を上下のケース間で連結する連絡配管を設け、上下のケースの何れか一方の外面にはその一部に形成した凹部に逆止弁と圧力調整弁を有する空気の給気口部と排気用押しボタンを備えた排気口部とを設け、前記一方のケース側に設けた給気口部から空気を注入することで、前記空気袋を膨張させて上下のケースの弾性シートを物品収納空間側へ膨出させ、これによって収納された物品を押圧して不動に保持するようにしたので、
邪魔なクッション材による詰め込み作業等をすることなく、物品の収納、固定作業が容易、確実に行え、また物品の取り出し作業も容易、迅速に行うことができる。勿論、軽くてしかも運搬中の衝撃による破損等から十分に物品を守ることができる。
また物品収納ケースを取り扱いの容易な開閉型のケースとして、しかも物品収納空間を挟む上下のケースに設けた弾性シート及び空気袋によって、効率良く且つ確実に物品を不動状態に保持することができる。
【図面の簡単な説明】
【図１】本発明実施形態に係る物品収納ケースの閉じた状態を示す正面図である。
【図２】同じく物品収納ケースの閉じた状態を示す平面図である。
【図３】物品収納ケースの右側面図である。
【図４】図２のＡ−Ａ断面図である。
【図５】図２のＢ−Ｂ断面図（取っ手は省略）である。
【図６】弾性シートと空気袋と空気配管との配置構造を示す図である。
【図７】物品収納ケースの空気給排気口付近の断面図である。
【図８】シングルの空気袋の平面図である。
【図９】ダブルの空気袋の平面図である。
【図１０】圧縮空気の外部供給ユニットの系統図である。
【符号の説明】
１  物品収納ケース
２  蝶番
３  留め金
４  取っ手
５  凹部
１０  下ケース
２０  上ケース
３１  給気口部
３１ａ  逆止弁
３２  排気口部
３２ａ  排気用押しボタン
３３  空気配管
３３ａ  連絡配管
４０  空気袋
４０ａ  シングルの空気袋
４０ｂ  ダブルの空気袋
４１  溶着部
４２  空気取り入れ口
５０  弾性シート
６０    ユニット
Ｗ  物品
Ｓ  物品収納空間
【図１】
0003857516.tif 000002
【図２】
0003857516.tif 000003
【図３】
0003857516.tif 000004
【図４】
0003857516.tif 000005
【図５】
0003857516.tif 000006
【図６】
0003857516.tif 000007
【図７】
0003857516.tif 000008
【図８】
0003857516.tif 000009
【図９】
0003857516.tif 000010
【図１０】
0003857516.tif 000011